(57)【要約】【課題】検出光が意図せずに照射されてしまうことを回避する表示装置を提供する。【解決手段】表示装置（プロジェクター１）は、画像を表示する画像表示部（画像投写部１０）と、検出光を照射する検出光照射部（照射部２２０）と、検出光が指示体（指Ｈ１）によって反射された反射光を検出する反射光検出部（位置検出部４０）と、表示装置に対する操作を受け付ける操作受付部（操作パネル２１）と、検出光照射部が検出光の照射を開始する前に、画像表示部に第１のメッセージを表示させるメッセージ表示部（ＯＳＤ処理部３２）と、第１のメッセージ表示中に、操作受付部が受け付けた操作内容に応じて、検出光を照射するか否かを判断する判断部（制御部２０）と、判断部が、検出光の照射を可と判断した場合には検出光照射部に検出光を照射させ、検出光の照射を否と判断した場合には検出光照射部に検出光を照射させない制御部２０と、を備える。【選択図】図３
2015184696.tif 000002
【特許請求の範囲】
【請求項１】
表示装置であって、
画像を表示する画像表示部と、
検出光を照射する検出光照射部と、
前記検出光が指示体によって反射された反射光を検出する反射光検出部と、
前記表示装置に対する操作を受け付ける操作受付部と、
前記検出光照射部が前記検出光の照射を開始する前に、前記画像表示部に第１のメッセージを表示させるメッセージ表示部と、
前記第１のメッセージ表示中に、前記操作受付部が受け付けた操作内容に応じて、前記検出光を照射するか否かを判断する判断部と、
前記判断部が、前記検出光の照射を可と判断した場合には前記検出光照射部に前記検出光を照射させ、前記検出光の照射を否と判断した場合には前記検出光照射部に前記検出光を照射させない制御部と、
を備えることを特徴とする表示装置。
【請求項２】
請求項１に記載の表示装置であって、
前記メッセージ表示部が前記第１のメッセージを表示開始した後、所定の時間内に前記操作受付部が所定の操作を受け付けない場合、前記判断部は、前記検出光の照射を否と判断することを特徴とする表示装置。
【請求項３】
請求項１または２に記載の表示装置であって、
前記判断部が前記検出光の照射を否と判断した場合、前記制御部は、前記表示装置の電源をオフにすることを特徴とする表示装置。
【請求項４】
請求項３に記載の表示装置であって、
前記判断部が前記検出光の照射を否と判断して、前記制御部によって前記表示装置の電源がオフされた場合、次回の起動時に、前記メッセージ表示部は、前記操作受付部が前回所定の操作を受け付けなかった旨を示す第２のメッセージを表示することを特徴とする表示装置。
【請求項５】
請求項１乃至４のいずれか一項に記載の表示装置であって、
前記制御部は、前記反射光検出部が検出した前記反射光の位置情報から前記画像上の座標を検出し、該座標位置に対してインタラクティブ操作を行うことを特徴とする表示装置。
【請求項６】
請求項１乃至５のいずれか一項に記載の表示装置であって、
前記操作受付部は、前記表示装置の筐体に備えられた操作キーであることを特徴とする表示装置。
【請求項７】
請求項１乃至５のいずれか一項に記載の表示装置であって、
前記操作受付部は、前記表示装置に備わるリモートコントローラーの操作キーであることを特徴とする表示装置。
【請求項８】
画像を表示する画像表示部と、検出光を照射する検出光照射部と、前記検出光が指示体によって反射された反射光を検出する反射光検出部と、操作を受け付ける操作受付部と、を有する表示装置の制御方法であって、
前記検出光照射部が前記検出光の照射を開始する前に、前記画像表示部に第１のメッセージを表示させるメッセージ表示ステップと、
前記第１のメッセージ表示中に、前記操作受付部が受け付けた操作内容に応じて、前記検出光を照射するか否かを判断する判断ステップと、
前記判断ステップによって、前記検出光の照射を可と判断した場合には前記検出光照射部に前記検出光を照射させ、前記検出光の照射を否と判断した場合には前記検出光照射部に前記検出光を照射させない制御ステップと、
を備えることを特徴とする表示装置の制御方法。
【発明の詳細な説明】
【技術分野】
【０００１】
本発明は、表示装置、および表示装置の制御方法に関する。
【背景技術】
【０００２】
従来、赤外光照射器および深度カメラを備えた位置検出装置（検出ユニット）により、指先の位置を検出するインターフェースを備えたインタラクティブプロジェクター（インタラクティブ表示装置）が知られている（特許文献１）。このようなインタラクティブプロジェクターによれば、自発光する電子ペン等を用いなくても、指先等でインタラクティブ操作を行うことが可能なため、利便性に優れている。
【先行技術文献】
【特許文献】
【０００３】
【特許文献１】特開２０１３−２０６３７３号公報
【発明の概要】
【発明が解決しようとする課題】
【０００４】
しかしながら、インタラクティブプロジェクターの赤外光照射器や赤外レーザー光照射器のセッティングが正しくできていないと、意図しないタイミングで、意図しない方向に赤外光や赤外レーザー光が照射されてしまう可能性があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る表示装置は、表示装置であって、画像を表示する画像表示部と、検出光を照射する検出光照射部と、前記検出光が指示体によって反射された反射光を検出する反射光検出部と、前記表示装置に対する操作を受け付ける操作受付部と、前記検出光照射部が前記検出光の照射を開始する前に、前記画像表示部に第１のメッセージを表示させるメッセージ表示部と、前記第１のメッセージ表示中に、前記操作受付部が受け付けた操作内容に応じて、前記検出光を照射するか否かを判断する判断部と、前記判断部が、前記検出光の照射を可と判断した場合には前記検出光照射部に前記検出光を照射させ、前記検出光の照射を否と判断した場合には前記検出光照射部に前記検出光を照射させない制御部と、を備えることを特徴とする。
【０００７】
このような表示装置によれば、検出光照射部は、検出光を照射する。反射光検出部は、検出光が指示体によって反射された反射光を検出する。メッセージ表示部は、検出光照射部が検出光の照射を開始する前に、画像表示部に第１のメッセージを表示させる。判断部は、第１のメッセージ表示中に、操作受付部が受け付けた操作内容に応じて、検出光を照射するか否かを判断する。制御部は、判断部が検出光の照射を可と判断した場合には検出光照射部に検出光を照射させ、判断部が検出光の照射を否と判断した場合には検出光照射部に検出光を照射させない。これにより、ユーザーが第１のメッセージ表示中に行った操作内容によっては、検出光照射部は検出光の照射を行わない。よって、検出光照射部のセッティングが正しくできていない場合等に、意図しないタイミングで、意図しない方向に検出光が照射されてしまう事態を回避することができる。
【０００８】
［適用例２］上記適用例に係る表示装置において、前記メッセージ表示部が前記第１のメッセージを表示開始した後、所定の時間内に前記操作受付部が所定の操作を受け付けない場合、前記判断部は、前記検出光の照射を否と判断することを特徴とする。
【０００９】
このような表示装置によれば、判断部は、第１のメッセージを表示開始した後、所定の時間内に所定の操作を受け付けない場合、検出光の照射を否と判断する。そして、検出光照射部は検出光の照射を行わない。これにより、所定の時間が経過すると、検出光を照射しないため、検出光照射部のセッティングが正しくできていない場合等に、意図しないタイミングで、意図しない方向に検出光が照射されてしまう事態を回避することができる。
【００１０】
［適用例３］上記適用例に係る表示装置において、前記判断部が前記検出光の照射を否と判断した場合、前記制御部は、前記表示装置の電源をオフにすることを特徴とする。
【００１１】
このような表示装置によれば、判断部が検出光の照射を否と判断した場合、制御部は、表示装置の電源をオフにし、検出光の照射も行わない。これにより、表示装置の電源がオフされるため、ユーザーに検出光照射部を含めた表示装置のセッティングを行う時間を提供できる。
【００１２】
［適用例４］上記適用例に係る表示装置において、前記判断部が前記検出光の照射を否と判断して、前記制御部によって前記表示装置の電源がオフされた場合、次回の起動時に、前記メッセージ表示部は、前記操作受付部が前回所定の操作を受け付けなかった旨を示す第２のメッセージを表示することを特徴とする。
【００１３】
このような表示装置によれば、判断部が検出光の照射を否と判断し、表示装置の電源がオフされた場合、次回の起動（電源オン）時に、メッセージ表示部は、前回所定の操作を受け付けなかった旨を示す第２のメッセージを表示する。これにより、ユーザーは、所定の操作がなされなかったことを認識することができる。
【００１４】
［適用例５］上記適用例に係る表示装置において、前記制御部は、前記反射光検出部が検出した前記反射光の位置情報から前記画像上の座標を検出し、該座標位置に対してインタラクティブ操作を行うことを特徴とする。
【００１５】
このような表示装置によれば、制御部は、反射光検出部が検出した反射光の位置情報から画像上の座標を検出し、該座標位置に対してインタラクティブ操作を行う。これにより、表示装置は、インタラクティブ機能を実現することができる。
【００１６】
［適用例６］上記適用例に係る表示装置において、前記操作受付部は、前記表示装置の筐体に備えられた操作キーであることを特徴とする。
【００１７】
このような表示装置によれば、操作受付部は、表示装置の筐体に備えられたキーである。これにより、所定の操作として、ユーザーがキー操作を行うことによって、検出光照射部に検出光を照射させることができる。
【００１８】
［適用例７］上記適用例に係る表示装置において、前記操作受付部は、前記表示装置に備わるリモートコントローラーの操作キーであることを特徴とする。
【００１９】
このような表示装置によれば、操作受付部は、表示装置に備わるリモートコントローラーのキーである。これにより、所定の操作として、ユーザーがリモートコントローラーのキー操作を行うことによって、検出光照射部に検出光を照射させることができる。
【００２０】
［適用例８］本適用例に係る表示装置の制御方法は、画像を表示する画像表示部と、検出光を照射する検出光照射部と、前記検出光が指示体によって反射された反射光を検出する反射光検出部と、操作を受け付ける操作受付部と、を有する表示装置の制御方法であって、前記検出光照射部が前記検出光の照射を開始する前に、前記画像表示部に第１のメッセージを表示させるメッセージ表示ステップと、前記第１のメッセージ表示中に、前記操作受付部が受け付けた操作内容に応じて、前記検出光を照射するか否かを判断する判断ステップと、前記判断ステップによって、前記検出光の照射を可と判断した場合には前記検出光照射部に前記検出光を照射させ、前記検出光の照射を否と判断した場合には前記検出光照射部に前記検出光を照射させない制御ステップと、を備えることを特徴とする。
【００２１】
このような表示装置の制御方法によれば、ユーザーが第１のメッセージ表示中に行った操作内容によっては、検出光照射部は検出光の照射を行わない。よって、検出光照射部のセッティングが正しくできていない場合等に、意図しないタイミングで、意図しない方向に検出光が照射されてしまう事態を回避することができる。
【００２２】
また、上述した表示装置、および表示装置の制御方法が、表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２３】
【図１】実施形態のプロジェクターの斜視図。
【図２】実施形態のプロジェクターの設置図であり、（ａ）は、壁面投写の場合の設置図、（ｂ）は、机上投写の場合の設置図。
【図３】実施形態に係るプロジェクターの概略構成を示すブロック図。
【図４】プロジェクターが起動された際に行う処理のフローチャート。
【図５】プロジェクターの設置状態毎の注意メッセージ画面であり、（ａ）は、壁面設置の場合の注意メッセージ画面、（ｂ）は、机上設置の場合の注意メッセージ画面。
【図６】机上設置の場合の未確認通知メッセージ画面。
【発明を実施するための形態】
【００２４】
（実施形態）
以下、実施形態として、赤外レーザー光照射器（以降、「ライトカーテンユニット」と呼ぶ。）を備え、インタラクティブ機能を有するプロジェクターについて説明する。
【００２５】
図１は、本実施形態における、表示装置としてのプロジェクター１の斜視図である。
図１に示すように、プロジェクター１は、プロジェクター本体１００およびライトカーテンユニット２００を有して構成されている。
【００２６】
プロジェクター本体１００は、装置本体を収容する筐体５を備えて構成されており、筐体５には、画像を投写する投写窓１５、および、スクリーン等の投写面を撮像する撮像部４０ａが設けられている。ライトカーテンユニット２００は、プロジェクター本体１００にケーブルを介して接続されており、赤外レーザー光を照射する。赤外レーザー光が、検出光に相当する。
【００２７】
図２は、本実施形態のプロジェクター１の設置図であり、（ａ）は、壁面投写の場合の設置図であり、（ｂ）は、机上投写の場合の設置図である。図２を使用して、プロジェクター１の使用形態について説明する。
図２（ａ）に示すように、壁面投写の場合には、プロジェクター本体１００は壁面に略垂直に設置されており、壁面に備えられたスクリーンＳＣ等に画像を投写する。そして、撮像部４０ａは、投写画像を含む領域を撮像する。ライトカーテンユニット２００は、壁面に設置されており、壁面に略平行且つ近距離に赤外レーザー光を照射（発光）する。ユーザーＨが指Ｈ１で、スクリーンＳＣ上に投写された投写画像に触れる（指示する）と、指Ｈ１に当たった赤外レーザー光が反射する。撮像部４０ａは投写画像を撮像しているため、反射した赤外レーザー光に基づいて指Ｈ１の位置を検出することができる。ここで、指Ｈ１が、指示体に相当する。なお、指示体は指Ｈ１に限定するものではなく、赤外レーザー光を反射し、撮像部４０ａで反射光を検出できるものであればよい。
【００２８】
図２（ｂ）に示すように、机上投写の場合には、プロジェクター本体１００は机上に略垂直に設置されており、机上に備えられたスクリーンＳＣ等に画像を投写する。そして、撮像部４０ａは、投写画像を含む領域を撮像する。ライトカーテンユニット２００は、机上に設置されており、机上面に略平行且つ近距離に赤外レーザー光を照射（発光）する。ユーザーＨが指Ｈ１で、スクリーンＳＣ上に投写された投写画像に触れる（指示する）と、指Ｈ１に当たった赤外レーザー光が反射する。撮像部４０ａは投写画像を撮像しているため、反射した赤外レーザー光に基づいて指Ｈ１の位置を検出することができる。
【００２９】
図３は、本実施形態に係るプロジェクター１の概略構成を示すブロック図である。図３を使用して、プロジェクター１の内部構成について説明する。
【００３０】
プロジェクター１は、前述したように、プロジェクター本体１００およびライトカーテンユニット２００を有して構成されている。
プロジェクター本体１００は、画像表示部としての画像投写部１０、制御部２０、操作受付部としての操作パネル２１、光源制御部２２、記憶部２３、設置状態検出部２４、画像情報入力部３０、画像処理部３１、ＯＳＤ処理部３２、位置検出部４０等を備えている。これらの構成部は、筐体５（図１参照）に収容、または、配置されている。
【００３１】
画像投写部１０は、光源としての光源装置１１、光変調装置としての３つの液晶ライトバルブ１２Ｒ，１２Ｇ，１２Ｂ、反射ミラー１３、液晶駆動部１４等で構成されている。
【００３２】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリックス状に配列された矩形状の画素領域を備えており、液晶に対して画素毎に駆動電圧を印加可能になっている。液晶駆動部１４が、入力される画像データに応じた駆動電圧を各画素に印加すると、各画素は、画像データに応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、反射ミラー１３等の投写光学系によってスクリーンＳＣ等の投写面に拡大投写される。
【００３４】
制御部２０は、ＣＰＵ（Central Processing Unit）、各種データの一時記憶等に用いられるＲＡＭ、不揮発性のメモリーであるＲＯＭ（いずれも図示せず）等を備え、ＲＯＭに記憶されている制御プログラムに従ってＣＰＵが動作することにより、プロジェクター１（プロジェクター本体１００およびライトカーテンユニット２００）の動作を統括制御する。制御部２０は、タイマー（図示せず）を有しており、所定の時間を計時することができる。
【００３５】
操作パネル２１は、プロジェクター１の筐体５に備えられており、プロジェクター１に対して各種指示を行うための複数の操作キー（操作ボタン）等を備えている。操作パネル２１が備える操作キーとしては、電源のオン／オフを行うための電源キーや、入力された画像情報を切り換えるための入力切換キー、各種設定を行うためのメニュー画面の表示／非表示を切り換えるメニューキー、メニュー画面におけるカーソルの移動等に用いられるカーソルキー、各種設定を決定するための決定キー、メニュー画面を終了するための終了キー等がある。ユーザーＨが操作パネル２１を操作すると、操作パネル２１は、ユーザーＨの操作内容に応じた制御情報を制御部２０に出力する。
【００３６】
なお、操作パネル２１の代わりに、あるいは操作パネル２１とともに、遠隔操作が可能なリモートコントローラー（以降、「リモコン」と呼ぶ。）（図示せず）を操作受付部として用いた構成としてもよい。この場合、リモコンは、ユーザーＨの操作内容に応じた赤外線等の操作信号を発信し、図示しないリモコン信号受信部がこれを受信して制御部２０に伝達する。
【００３７】
光源制御部２２は、制御部２０の指示に基づいて、光源装置１１に対する電力の供給と停止とを制御し、光源装置１１の点灯および消灯を切り換える。
【００３８】
記憶部２３は、不揮発性のメモリーからなり、各種のフラグ２３ａや、メッセージ画面の画像データ２３ｂ等を記憶する。本実施形態では、メッセージ画面としては、ライトカーテンユニット２００の照射開始前に表示する注意メッセージ等の画像データが記憶される。また、前述した注意メッセージ表示中において、ユーザーＨによって確認操作がなされなかったことを記憶するための未確認フラグも記憶される。なお、上記の注意メッセージの画像データは、ＯＳＤ画像データとして、ＯＳＤ処理部３２に記憶してもよい。
【００３９】
設置状態検出部２４は、重力センサー等を有して構成される。設置状態検出部２４は、制御部２０の指示に基づいて、プロジェクター本体１００の設置方向、即ち壁面に設置されているか、机上に設置されているか、を検出する。設置状態検出部２４は、検出した設置方向の情報を制御部２０に通知する。制御部２０は、プロジェクター本体１００の設置方向に基づいて、ライトカーテンユニット２００の照射開始前に表示する注意メッセージを切り換える。なお、設置状態検出部２４が有するのは、重力センサーに限定しない。プロジェクター本体１００の設置状態を検出できれば、その他のセンサー等としてもよい。また、設置状態をユーザーに入力させてもよい。
【００４０】
画像情報入力部３０は、複数の入力端子（図示せず）を備えており、パーソナルコンピューター（ＰＣ）やビデオ再生装置、メモリーカード、ＵＳＢストレージ、デジタルカメラ等、外部の画像供給装置（図示せず）から各種形式の画像情報（画像信号）が入力される。画像情報入力部３０は、制御部２０からの指示に基づいて画像情報を選択し、入力される画像情報を、画像処理部３１で処理可能な形式の画像データに変換して、画像処理部３１に出力する。
【００４１】
画像処理部３１は、制御部２０の指示に基づいて、画像情報入力部３０から入力される画像データに対して、明るさ、コントラスト、シャープネス、色合い等の調整や、ガンマ補正等の各種画質調整を施す。画像処理部３１は、このような調整および処理を行った画像データをＯＳＤ処理部３２に出力する。
【００４２】
ＯＳＤ処理部３２は、制御部２０の指示に基づいて、メニュー画面やメッセージ画面等のＯＳＤ（オンスクリーンディスプレイ）画像を、画像処理部３１から入力される画像データに重畳する処理を行う。ＯＳＤ処理部３２は、図示しないＯＳＤメモリーを備えており、ＯＳＤ画像を形成するための図形やフォント等を表すＯＳＤ画像データを記憶している。また、ＯＳＤ処理部３２は、記憶部２３に記憶されたメッセージ画面のＯＳＤ画像データを読み出すこともできる。制御部２０が、ＯＳＤ画像の重畳を指示すると、ＯＳＤ処理部３２は、必要なＯＳＤ画像データをＯＳＤメモリーまたは記憶部２３から読み出し、入力画像の所定の位置にＯＳＤ画像が重畳されるように、画像処理部３１から入力される画像データにこのＯＳＤ画像データを合成する。ＯＳＤ画像データが合成された画像データは、液晶駆動部１４に出力される。なお、制御部２０からＯＳＤ画像を重畳する旨の指示がない場合には、ＯＳＤ処理部３２は、画像処理部３１から出力される画像データを、そのまま液晶駆動部１４に出力する。
【００４３】
また、プロジェクター１のインタラクティブ機能を使用する場合には、制御部２０から入力されるユーザーＨの指Ｈ１の位置情報に基づき、画像処理部３１およびＯＳＤ処理部３２によって、画像データ上に描画などのインタラクティブ操作を行うことが可能となっている。
【００４４】
液晶駆動部１４が、ＯＳＤ処理部３２から入力される画像データに従って液晶ライトバルブ１２Ｒ，１２Ｇ，１２Ｂを駆動すると、液晶ライトバルブ１２Ｒ，１２Ｇ，１２Ｂは、光源装置１１から入射する光を、画像データに応じて画像光に変調し、この画像光が反射ミラー１３等の投写光学系から投写される。
【００４５】
位置検出部４０は、撮像部４０ａ等を有して構成されている。
撮像部４０ａは、ＣＣＤ（Charge Coupled Device）センサー、あるいはＣＭＯＳ（Complementary Metal Oxide Semiconductor）センサー等からなる撮像素子等（図示せず）と、撮像対象から発せられた光を撮像素子上に結像させるための撮像レンズ（図示せず）を備えている。撮像部４０ａは、プロジェクター本体１００の投写窓１５の近傍に配置され、スクリーンＳＣ等の投写面に投写された画像（以降、「投写画像」とも呼ぶ。）を含む範囲を、制御部２０の指示に基づいて撮像する。そして、撮像部４０ａは、撮像した画像（以降、「撮像画像」とも呼ぶ。）を表す画像情報を生成する。
【００４６】
位置検出部４０は、撮像画像を表す画像情報の解析を行う。画像解析を行う際に、位置検出部４０は、撮像画像上の位置情報から入力画像の画像信号に基づく画像上の位置情報への変換を行う。位置検出部４０は、画像解析結果に基づいて、赤外レーザー光が反射された位置情報、即ちユーザーＨの指Ｈ１の位置情報を検出する。位置検出部４０は、指Ｈ１の位置情報を制御部２０に出力する。撮像部４０ａおよび位置検出部４０が、反射光検出部に相当する。
【００４７】
ライトカーテンユニット２００は、照射制御部２１０および照射部２２０等を有して構成される。
照射制御部２１０は、制御部２０の指示に基づいて、照射部２２０に対する電力の供給と停止とを制御し、照射部２２０の赤外レーザー光の照射（発光）および消灯を切り換える。なお、本実施形態では、ライトカーテンユニット２００は、プロジェクター本体１００から電力の供給を受ける。
【００４８】
照射部２２０は、赤外レーザー光を発光するダイオード等を有して構成される。照射部２２０は、照射制御部２１０による制御によって、赤外レーザー光を照射することができる。このとき、ライトカーテンユニット２００をスクリーンＳＣに略水平に設置することで、赤外レーザー光をスクリーンＳＣに略平行且つ近距離に照射することができる。照射部２２０が、検出光照射部に相当する。
【００４９】
次に、プロジェクター１が電源オンされて起動した際に行う処理について、フローチャートを用いて説明する。
図４は、プロジェクター１が起動された際に行う処理のフローチャートである。
【００５０】
操作パネル２１に備わる電源キーが押下されて、プロジェクター１が起動されると、制御部２０は、光源制御部２２に指示を出して光源装置１１を点灯させる。そして、制御部２０は、画像処理部３１等に指示を出して入力画像の投写を開始させる（ステップＳ１０１）。このとき、制御部２０は、照射制御部２１０に指示を出して、照射部２２０に赤外レーザー光の照射を行わせない。つまり、赤外レーザー光の照射をオフとする。制御部２０は、設置状態検出部２４から、プロジェクター本体１００の設置状態を取得する（ステップＳ１０２）。
【００５１】
制御部２０は、ＯＳＤ処理部３２に指示を出して、プロジェクター本体１００の設置状態に応じた注意メッセージ画面を表示（投写）させる（ステップＳ１０３）。ステップＳ１０３がメッセージ表示ステップに相当する。
ここで、注意メッセージ画面について説明する。
【００５２】
図５は、プロジェクター１の設置状態毎の注意メッセージ画面であり、（ａ）は、壁面設置の場合の注意メッセージ画面であり、（ｂ）は、机上設置の場合の注意メッセージ画面である。
設置状態検出部２４が検出したプロジェクター本体１００の設置状態が、壁面設置（壁面投写）である場合、図５（ａ）に示すような注意メッセージ画面Ｇ１が投写される。当該注意メッセージ画面Ｇ１には、プロジェクター本体１００およびライトカーテンユニット２００が、壁面に設置され、さらに、赤外レーザー光の照射方向が表示されている。さらに、「ライトカーテンユニットから赤外レーザー光が照射されます。ご注意ください。」というメッセージが表示されている。そして、ユーザーＨが当該メッセージを確認した場合に、操作パネル２１またはリモコンに備わる決定キー（ＥＮＴキー）を押下することを示すメッセージである「確認：ＥＮＴ」の文字列が表示されている。
【００５３】
設置状態検出部２４が検出したプロジェクター本体１００の設置状態が、机上設置（机上投写）である場合、図５（ｂ）に示すような注意メッセージ画面Ｇ２が投写される。当該注意メッセージ画面Ｇ２には、プロジェクター本体１００およびライトカーテンユニット２００が、机上に設置され、さらに、赤外レーザー光の照射方向が表示されている。さらに、「ライトカーテンユニットから赤外レーザー光が照射されます。ご注意ください。」というメッセージが表示されている。そして、ユーザーＨが当該メッセージを確認した場合に、操作パネル２１またはリモコンに備わる決定キー（ＥＮＴキー）を押下することを示すメッセージである「確認：ＥＮＴ」の文字列が表示されている。注意メッセージ画面Ｇ１，Ｇ２を投写するＯＳＤ処理部３２がメッセージ表示部に相当し、注意メッセージ画面Ｇ１，Ｇ２が第１のメッセージに相当する。
【００５４】
図４に戻り、制御部２０は、記憶部２３に記憶されている未確認フラグがセットされているか否かを判断する（ステップＳ１０４）。未確認フラグがセットされていなければ（ステップＳ１０４：ＮＯ）、即ち、前回の注意メッセージ画面Ｇ１，Ｇ２表示中に、ユーザーＨによって確認操作がなされていれば、ステップＳ１０６に移行する。なお、未確認フラグのデフォルト値（プロジェクター１の出荷時）は「オフ（クリア）」とする。
【００５５】
未確認フラグがセットされていれば（ステップＳ１０４：ＹＥＳ）、即ち、前回起動時の注意メッセージ画面Ｇ１，Ｇ２表示中に、ユーザーＨによって確認操作が行われていなければ、制御部２０は、ＯＳＤ処理部３２に指示を出して、未確認通知メッセージ画面を表示させる（ステップＳ１０５）。
【００５６】
ここで、未確認通知メッセージ画面について説明する。
図６は、机上設置の場合の未確認通知メッセージ画面である。図６に示すように、未確認通知メッセージ画面Ｇ３は、注意メッセージ画面Ｇ２に加えて、「前回起動時に確認操作がありませんでした。」というメッセージ文字列が表示される。このメッセージにより、前回起動時に注意メッセージ画面Ｇ２が表示されたときに、ユーザーＨによる確認操作が行われていないことが分かる。未確認メッセージ画面Ｇ３が、第２のメッセージに相当する。なお、壁面設置の場合の未確認通知メッセージ画面の図示は省略したが、机上設置の場合と同様である。
【００５７】
図４に戻り、制御部２０は、記憶部２３の未確認フラグをセットする（ステップＳ１０６）。制御部２０は、タイマーの計時を開始する（ステップＳ１０７）。制御部２０は、確認操作を受け付けたか否かを判断する（ステップＳ１０８）。確認操作を受け付けていない場合（ステップＳ１０８：ＮＯ）、制御部２０は、所定の時間が経過したか否かを判断する（ステップＳ１０９）。本実施形態では、所定の時間は３０秒とする。なお、所定の時間は３０秒に限定するものではない。
【００５８】
所定の時間が経過していなければ（ステップＳ１０９：ＮＯ）、ステップＳ１０８に戻る。所定の時間が経過していれば（ステップＳ１０９：ＹＥＳ）、制御部２０は、赤外レーザー光の照射を否と判断する。制御部２０は、光源装置１１を消灯させ、プロジェクター１の電源をオフさせる（ステップＳ１１０）。制御部２０は、プロジェクター１の状態をスタンバイ状態とする（ステップＳ１１１）。そして、プロジェクター１が起動された際に行う処理を終了する。
【００５９】
確認操作を受け付けた場合（ステップＳ１０８：ＹＥＳ）、制御部２０は、赤外レーザー光の照射を可と判断する。そして、制御部２０は、未確認フラグをクリアする（ステップＳ１１２）。制御部２０は、ＯＳＤ処理部３２に指示を出して、投写している注意メッセージ画面Ｇ１，Ｇ２、または、未確認通知メッセージ画面Ｇ３を消去させ、入力画像に基づく画像の投写を開始させる（ステップＳ１１３）。なお、ステップＳ１０８からステップＳ１０９が判断ステップに相当する。
【００６０】
制御部２０は、ライトカーテンユニット２００の照射制御部２１０に指示を出して照射部２２０に赤外レーザー光の照射を開始させる。そして、位置検出部４０の撮像部４０ａに撮像を開始させ、位置検出を開始させる（ステップＳ１１４）。上述したように確認操作に応じて、赤外レーザー光の照射を開始させるか否かを判断し、照射の開始を制御する制御部２０が、判断部および制御部に相当する。制御部２０は、プロジェクター１の状態を、インタラクティブ機能を有効とするインタラクティブ状態とする（ステップＳ１１５）。インタラクティブ状態においては、ユーザーＨは指Ｈ１によって、投写画像上に描画をしたり、接続されているＰＣなどの画像供給装置（図示せず）に対する操作を行ったりすることが可能である。そして、プロジェクター１が起動された際に行う処理を終了する。ステップＳ１１０からステップＳ１１５が制御ステップに相当する。
【００６１】
上述した実施形態によれば、以下の効果が得られる。
（１）プロジェクター１のライトカーテンユニット２００は、赤外レーザー光を照射する。撮像部４０ａは、投写画像を含む範囲を撮像する。位置検出部４０は、撮像部４０ａの撮像画像に基づいてユーザーＨの指Ｈ１等の指示体によって反射された反射光を検出し、その位置情報を検出する。このように、プロジェクター１は、プロジェクター本体１００およびライトカーテンユニット２００によって、インタラクティブ機能を実現することができる。プロジェクター１は、ライトカーテンユニット２００が赤外レーザー光の照射を開始する前に、注意メッセージ画面Ｇ１，Ｇ２、または、未確認通知メッセージ画面Ｇ３を投写する。これにより、ユーザーＨは、ライトカーテンユニット２００の使用上の注意事項を認識することができる。そして、プロジェクター１の操作に詳しくないユーザーＨが電源をオンした場合でも、赤外レーザー光に注意することが可能になる。
【００６２】
（２）プロジェクター１は、注意メッセージ画面Ｇ１，Ｇ２、または、未確認通知メッセージ画面Ｇ３の投写中に、操作パネル２１（またはリモコン）が受け付けた操作内容に応じて、赤外レーザー光を照射するか否かを判断する。具体的には、注意メッセージ画面Ｇ１，Ｇ２、または、未確認通知メッセージ画面Ｇ３が表示されている間に、ユーザーＨによって確認操作（決定キーの押下）がなされると、ライトカーテンユニット２００の照射を可として、赤外レーザー光を照射させる。これにより、ユーザーＨが、ライトカーテンユニット２００の使用上の注意事項を認識した後に、赤外レーザー光を照射させることができるため、有益である。
【００６３】
（３）プロジェクター１は、注意メッセージ画面Ｇ１，Ｇ２、または、未確認通知メッセージ画面Ｇ３が表示されている所定の時間（３０秒）の間に、ユーザーＨによって確認操作（決定キーの押下）がなされない場合には、制御部２０は赤外レーザー光の照射を否と判断して、ライトカーテンユニット２００に赤外レーザー光の照射を行わせない。つまり、ライトカーテンユニット２００は赤外レーザー光を照射しない。これにより、プロジェクター本体１００やライトカーテンユニット２００のセッティングが正しくできていない場合等に、意図しないタイミングで、意図しない方向に赤外レーザー光が照射されてしまう事態を回避することができる。また、誤ってプロジェクター１の電源をオンした場合にも、赤外レーザー光が照射されてしまう事態を回避することができる。
【００６４】
（４）プロジェクター１は、ユーザーＨによって確認操作（決定キーの押下）がなされない場合には、赤外レーザー光の照射を否と判断して、制御部２０は、ライトカーテンユニット２００に赤外レーザー光の照射を行わせずに、プロジェクター１の電源をオフする。これにより、プロジェクター１の電源がオフされ、ユーザーＨは、ライトカーテンユニット２００およびプロジェクター本体１００のセッティングを行うことが可能になる。
【００６５】
（５）プロジェクター１は、ユーザーＨによって確認操作がなされず、ライトカーテンユニット２００に赤外レーザー光の照射を行わせずに、制御部２０がプロジェクター１の電源をオフした場合、次回の電源オン（起動）時に、プロジェクター１は、前回確認操作を受け付けなかった旨を示す未確認通知メッセージ画面Ｇ３を投写する。これにより、ユーザーＨは、前回起動時に確認操作がなされなかったことを認識することができる。よって、例えば、プロジェクター１を使おうとして使うことができなかった人がいた場合には、その人に使い方を教えることができる。また、誰かプロジェクター１を使おうとした人がいたことを認識することができる。また、何らか意図しない原因で、プロジェクター１が電源オンしたことも認識することができる。
【００６６】
（６）プロジェクター１は、電源オン操作されて起動された場合に、注意メッセージ画面Ｇ１，Ｇ２、または、未確認通知メッセージ画面Ｇ３を表示し、確認操作がなされると、ライトカーテンユニット２００に赤外レーザー光の照射を開始させることができる。このため、メニュー画面等で、赤外レーザー光の照射のオンを設定することなく、プロジェクター１の起動動作の流れに沿って、ライトカーテンユニット２００に赤外レーザー光の照射を開始させることができるため、利便性に優れる。
【００６７】
なお、上述した実施形態に限定されず、種々の変更や改良等を加えて実施することが可能である。変形例を以下に述べる。以下の変形例を複数組み合わせることも可能である。
【００６８】
（変形例１）上記実施形態では、ライトカーテンユニット２００の照射部２２０が照射するのは赤外レーザー光としたが、赤外レーザー光に限定するものではない。スクリーンＳＣ等の投写面上のユーザーＨの指Ｈ１等の指示体によって反射された反射光を、撮像部４０ａで撮像可能な光であれば他の光でもよい。
【００６９】
（変形例２）上記実施形態では、注意メッセージ画面Ｇ１，Ｇ２、または、未確認通知メッセージ画面Ｇ３を表示して、確認操作がなされないで所定の時間（３０秒）が経過すると、プロジェクター１の電源をオフにするものとした。しかし、所定の時間が経過しても、プロジェクター１の電源をオンのままとしてもよい。この場合は、プロジェクター本体１００は起動したままとし、ライトカーテンユニット２００は赤外レーザー光の照射を行わないものとする。こうすれば、インタラクティブ機能は実行できないが、プロジェクター１を通常のプロジェクターとして使用することが可能である。
【００７０】
（変形例３）上記実施形態では、注意メッセージ画面Ｇ１，Ｇ２、または、未確認通知メッセージ画面Ｇ３においては、ユーザーＨが当該メッセージを確認して了解した場合に、操作パネル２１に備わる決定キー（ＥＮＴキー）を押下することを示すメッセージとして「確認：ＥＮＴ」という文字列を表示している。しかしながら、当該メッセージを視認しても、赤外レーザー光の照射をさせたくないユーザーＨのために、ライトカーテンユニット２００に赤外レーザー光の照射を行わせないための操作を受け付けてもよい。例えば、ライトカーテンユニット２００の赤外レーザー光の照射を行わせないための操作として終了キーを使用し、終了キーの押下することを示すメッセージとして「照射を止める：終了」といった文字列を表示してもよい。こうすれば、インタラクティブ機能は実行できないが、プロジェクター１を通常のプロジェクターとして使用することが可能となり、且つ、ユーザーＨは、所定の時間の経過を待たなくてもよいため利便性が向上する。
【００７１】
（変形例４）上記実施形態では、プロジェクター本体１００に撮像部４０ａを有する位置検出部４０を備えるものとしたが、ライトカーテンユニット２００に赤外レーザー光の反射光を検出する受光部や撮像部、およびユーザーＨの指Ｈ１等の指示体の位置情報を検出する位置検出部（いずれも図示せず）を備えてもよい。
【００７２】
（変形例５）上記実施形態では、様々な外部の画像供給装置から画像情報が入力されるものとしたが、外部の画像供給装置をＰＣ（図示せず）とし、さらに、プロジェクター１は該ＰＣと通信可能としてもよい。これによって、インタラクティブ機能によって、ユーザーＨの指Ｈ１等の指示体で、ＰＣの操作を行うことが可能である。
【００７３】
（変形例６）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００７４】
（変形例７）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【００７５】
（変形例８）上記実施形態では、表示装置としてプロジェクターを用いて説明をしたが、表示装置はプロジェクターに限定されない。例えば、ＬＣＤディスプレイ、有機ＥＬディスプレイ、プラズマディスプレイなどの直視型の表示装置であってもかまわない。
【符号の説明】
【００７６】
１…プロジェクター、５…筐体、１０…画像投写部、１１…光源装置、１１ａ…光源ランプ、１１ｂ…リフレクター、１２Ｒ，１２Ｇ，１２Ｂ…液晶ライトバルブ、１３…反射ミラー、１４…液晶駆動部、１５…投写窓、２０…制御部、２１…操作パネル、２２…光源制御部、２３…記憶部、２３ａ…フラグ、２３ｂ…画像データ、２４…設置状態検出部、３０…画像情報入力部、３１…画像処理部、３２…ＯＳＤ処理部、４０…位置検出部、４０ａ…撮像部、１００…プロジェクター本体、２００…ライトカーテンユニット、２１０…照射制御部、２２０…照射部、Ｈ…ユーザー、Ｈ１…指、ＳＣ…スクリーン。
【図１】
2015184696.tif 000003
【図２】
2015184696.tif 000004
【図３】
2015184696.tif 000005
【図４】
2015184696.tif 000006
【図５】
2015184696.tif 000007
【図６】
2015184696.tif 000008